(57)【要約】【課題】  枠体の施工と開口部内周を覆う内周部材との施工が一緒にできるとともに、安価で且つ手間がかからずに室内外の断熱を図ることができるサッシを提供する。【解決手段】  本発明のサッシ１は、枠体２と、障子１１と、開口部１３の内周を覆う内周部材６とを備え、枠体２は開口部１３の室内側又は室外側に設けてあり、内周部材６と枠体２とを連結部材８で連結してあるとともに、枠体２は金属製であり且つ内周部材６が断熱形材又は断熱材でできている。【選択図】      図１
2005083045.tif 000002
【特許請求の範囲】
【請求項１】
枠体と、障子と、開口部の内周を覆う内周部材とを備え、枠体は開口部の室内側又は室外側に設けてあり、内周部材と枠体とを連結部材で連結してあるとともに、枠体は金属製であり且つ内周部材が断熱形材又は断熱材でできていることを特徴とするサッシ。
【請求項２】
枠体は、開口部の内周よりも大きな寸法の内周を有することを特徴とする請求項１に記載のサッシ。
【請求項３】
枠体は上枠と、左右竪枠とを備え、上枠は開口部から開口部の横にある袖壁に亘って設けてあり、竪枠は開口部に対して上枠と同じ側に設けてあり、少なくとも一方の竪枠は袖壁の見付け面に設けてあり、障子が袖壁側に位置して開口部を開くことを特徴とする請求項１又は２に記載のサッシ。
【請求項４】
枠体は、開口部よりも室内側に設けてあることを特徴とする請求項１〜３のいずれか一項に記載のサッシ。
【発明の詳細な説明】
【技術分野】
【０００１】
本発明は、開口部の内周側を覆う内周部材とともに枠体を施工するサッシに関するものである。
【背景技術】
【０００２】
特許文献１に開示のサッシには、開口部の内周側に設けた枠体を内部材と外部材とから構成し、内部材と外部材とを断熱材で連結した構成が開示されている。
【０００３】
【特許文献１】特開平１１−３６７２２号公報
【発明の開示】
【発明が解決しようとする課題】
【０００４】
しかし、開口部の内周側に設ける内周部材と、サッシの枠（枠体）とを施工する場合において、枠体に断熱形材を用いると、枠体には障子を保持するための強度が要求されるので、枠体が高価なものになるとともに施工に手間がかかるという問題がある。
【０００５】
そこで、本発明は、枠体の施工と開口部内周を覆う内周部材との施工が一緒にできるとともに、安価で且つ手間がかからずに室内外の断熱を図ることができるサッシの提供を目的とする。
【課題を解決するための手段】
【０００６】
請求項１に記載の発明は、枠体と、障子と、開口部の内周を覆う内周部材とを備え、枠体は開口部の室内側又は室外側に設けてあり、内周部材と枠体とを連結部材で連結してあるとともに、枠体は金属製であり且つ内周部材が断熱形材又は断熱材でできていることを特徴とする。
【０００７】
請求項２に記載の発明は、請求項１記載の発明において、枠体は、開口部の内周よりも大きな寸法の内周を有することを特徴とする。
【０００８】
請求項３に記載の発明は、請求項１又は２に記載の発明において、枠体は上枠と、左右竪枠とを備え、上枠は開口部から開口部の横にある袖壁に亘って設けてあり、竪枠は開口部に対して上枠と同じ側に設けてあり、少なくとも一方の竪枠は袖壁の見付け面に設けてあり、障子が袖壁側に位置して開口部を開くことを特徴とする。
【０００９】
請求項４に記載の発明は、請求項１〜３のいずれか一項に記載の発明において、枠体は、開口部よりも室内側に設けてあることを特徴とする。
【発明の効果】
【００１０】
請求項１に記載の発明によれば、強度が要求されない内周部材を断熱形材又は断熱材で構成し、強度が要求される枠体は金属材のみでできているので、サッシ全体を安価に製造できる。また、内周部材と枠体とを一緒に施工する場合にも、枠体と内周部材とをビス等の連結部材で連結するだけで済むので容易に施工でき、施工コストの低減を図ることができる。
【００１１】
また、内周部材は断熱形材又は断熱材であるから、開口部内周側と開口部よりも室内側又は室外側に設けた枠体との断熱を図ることができる。
【００１２】
請求項２に記載の発明によれば、請求項１に記載の効果を奏するとともに、枠体が開口部よりも大きいため開口部の外側に固定する場合にも、枠体は金属製であるから取り付け易く且つ取り付け自由度が高い。
【００１３】
請求項３に記載の発明によれば、サッシが引戸である場合にも請求項１又は２に記載の発明と同様な効果を奏することができる。
【００１４】
請求項４に記載の発明によれば、請求項１〜３のいずれか一項に記載の発明と同様の効果を奏するとともに、枠体を開口部よりも室内側に設けてあり、枠体が風雨に晒されることがないので、枠体の皮膜処理や耐久処理が最小限で済み且つ意匠の自由度も高くできる。
【発明を実施するための最良の形態】
【００１５】
以下に、添付図面を参照して本発明の実施の形態を説明する。図１は図３のＡ―Ａ断面図であり、図２は図３のＢ―Ｂ断面図であり、図３は本発明の実施の形態にかかる片引戸の横断面図であり、図４は障子の縦断面図であり、図５は障子の横断面図である。
【００１６】
この実施の形態にかかるサッシ１は、玄関戸として用いられる上吊片引戸であり、枠体２と、障子１１と、壁１０の開口部１３の内周を覆う内周部材６とを備えており、枠体２と内周部材６とは連結部材８により連結されている。
【００１７】
枠体２は、開口部１３の内周よりも大きな内周寸法を有しており且つ開口部１３よりも外側（室内側）に設けてある。
【００１８】
枠体２は、上枠３と、下枠４と、一方の竪枠（左竪枠）５と、他方の竪枠（右竪枠）７とを備えており、枠体２を構成する各枠３、４、５、７はそれぞれアルミニウム合金製である。
【００１９】
上枠３は開口部１３よりも室内側に配置されており、開口部１３よりも室内側において、開口部１３から開口部１３の横にある袖壁１９の見付け面に亘って設けてある。
【００２０】
上枠３には、上レール２１が設けてあり、後述する障子１１の上戸車２３が走行するようになっている。
【００２１】
下枠４は、上枠３対向して上枠３と略平行に配置されている。下枠４には、下レール２５及び、気密材受け部２６が障子１１の走行軌跡に沿って設けてあり、下レール２５は後述する障子１１の下戸車２７に嵌合しており、気密材受け部２６には障子の下端に設けた気密材３５の先端が当接している。下レール２５及び気密材受け部２６は略平坦な下枠４から突設した横断面が略三角形状の山形状であり、これらの上端が床面と略同一の高さになっており、いわゆるバリヤフリー対応にしている。
【００２２】
上内周部材１７は、開口部１３と室内側空間との堺部（換言すれば、開口部１３の室内側端部）付近を断熱材１８で連結した断熱形材であり、上内周部材１７は断熱構造になっている。また、上内周部材１７は、連結部材８により上枠３に連結されている。尚、連結部材８はビスである。
【００２３】
一方の竪枠（左竪枠）５は、障子１１の戸先側にあり、戸当枠になっている。一方の竪枠５は、開口部１３の内周側に配置された竪内周部材２９に連結部材８により連結されている。
【００２４】
一方の竪内周部材（左竪内周部材）２９は、開口部１３の室内側端部付近を断熱材３３で連結した断熱形材である。
【００２５】
他方の竪枠７は、障子１１の戸尻側に設けてあり、開口部１３よりも室内側で且つ袖壁１９の室内側見付け面に配置している。
【００２６】
他方の竪内周部材（右竪内周部材）３９は、開口部１３よりも室内側に突設しており、開口部１３の室内側端部付近を断熱材４３、４４で連結した断熱構造になっている。
【００２７】
この他方の内周側部材３９は竪骨を兼ねており、開口部よりも室内側に突設した位置に召し合わせ部４５が形成してあり、障子１１を閉めたときに障子１１の召し合わせ框４７と嵌合する。召し合わせ部４５には室内側から室外側に向けて突設したタイト材４９が設けあり、障子１１を閉じた位置で障子の召し合わせ框４７がタイト材４９に当接するようになっている。
【００２８】
障子１１は、パネル５０とパネル５０の四周に設けた上端部５１、下端部５３、左右端部５５、５７とを備えており、各端部５１、５３、５５、５７には、鉄芯５９と、室内側鋼板（室内側部材）６１と、室外側鋼板６３とが設けてあり、鉄芯５９と室内側鋼板（室内側部材）６１との間及び鉄芯５９と室外側鋼板６３との間には断熱材６５が介在されている。即ち、室内側鋼板（室内側部材）６１は断熱材６５を介して障子本体６４に取り付けられている。
【００２９】
尚、障子の各端部５１、５３、５５、５７の内部には、樹脂材（本実施の形態ではウレタン樹脂）６７が充填されている。
【００３０】
次に、本実施の形態にかかる片引戸１の作用について説明する。本実施の形態にかかるサッシ１の施工は、開口部１３の内周側に内周部材６を、開口部よりも室内側に枠体２を施工するが、枠体２は上枠３、一方の竪枠５を取り付け、袖壁１９の室内側見付け面に他方の竪枠７を取り付けて施工する。即ち、開口部１３の内周部材６とサッシ１の枠体２との施工を一緒に行なうことができる。
【００３１】
上枠３、一方の竪枠５においては、それぞれ開口部内周側に設けた各内周部材１７、２９に連結部材８で連結するが、連結している各内周部材１７、２９は断熱材１８、３３を有する断熱形材製であるから、開口部内周側において室内外の断熱を図ることができる。
【００３２】
また、竪内周部材３９においては、召し合わせ部４５が設けられた室内側突部４５の近傍の室内側露出部との間に断熱材４３、４４が介在された断熱形材製であり、この竪内周部材３９においても、他の内周部材１７、２９と同様に開口部内周側における室内外の断熱を図ることができるとともに、サッシ１の可動部において必要最小部分のみの断熱としている。
【００３３】
障子１１を閉じたときには、障子１１の室内側面にある室内側部材６１は、断熱材６５を介して障子本体６４に取り付けてあるので、開口部１３の内周側に設けた各内周部材１７、２９、３９と同様に、開口部１３を閉じる障子１１の室内側部材６１も断熱材６５により室外側との断熱が図れているので、障子１１を閉じたときの開口部１３における室外側との断熱を高めることができる。
【００３４】
特に、本実施の形態では、開口部１３は玄関口として設けてあり、人が出入りする通路における断熱を図ることができる。
【００３５】
また、障子１１の開閉時には、上戸車２３が上レール２１に沿って走行するとともに、障子１１の下端に設けた下戸車２７が下レール２９に嵌合した状態で移動する。このように、障子１１の開閉の際には、下戸車２７が下レール２９に嵌合して走行するので、障子１１の横振れを防止できる。
【００３６】
更に、障子１１には、その下端に気密材３５を設けて、下枠４との間を気密に保持して、外気の侵入を防止して、室内の断熱を高めている。尚、下枠４では、下枠４が略平坦で下レール２５及び気密材受け部２６、２６が上方に突設する構成なので、ごみや埃がたまりにくく、清掃が簡単である。
【００３７】
本発明は、上述した実施の形態に限らず、本発明の要旨を逸脱しない範囲で種々変形可能である。
【００３８】
例えば、内周部２は、断熱形材に限らず、樹脂製や木製の断熱材としても良い。
【００３９】
開口部内周の下部にも下内周部材を設け、この下内周部材を断熱形材又は断熱材として、下枠４に連結するものであってもよい。
【００４０】
サッシ１は、玄関戸に限らず、引き違い窓等であってもよい。
【００４１】
また、障子１１を２枚設けて引き分けにしてもよいし、開口部の左右にそれぞれ袖壁１９を設けた両袖片引きとしてもよい。
【００４２】
更に、開口部内周側に配置した一方及び他方の竪内周部材２９、３９は上枠１５又は下枠４に連結しても良いし、上枠１５及び下枠４に連結しても良い。
に連結するものであってもよい。
【００４３】
障子１１は上枠３に吊り下げるものに限らず、下枠４を走行するものであってもよい。
【００４４】
枠体２は壁の室外側見付け面に設けてもよい。
【００４５】
障子１１は、パネルとパネルの周囲に組付けた框から構成するものであってもよい。
【００４６】
枠体２はアルミニウム合金に限らず、スチール等の他の金属材であってもよい。
【００４７】
一方の竪内周部材３９には、他方の竪内周部材２９と同様に金属製の竪骨を連結部材８により連結するものであってもよい。
【図面の簡単な説明】
【００４８】
【図１】図３のＡ―Ａ断面図である。
【図２】図３のＢ―Ｂ断面図である。
【図３】本発明の実の形態にかかる片引戸の横断面図である。
【図４】障子の縦断面図である。
【図５】障子の横断面図である。
【符号の説明】
【００４９】
１      片引戸（サッシ）
２      枠体
３      上枠
５      左竪枠（一方の竪枠）
６      内周部材
７      右竪枠（他方の竪枠）
８      連結部材
１０    壁
１１    障子
１３    開口部
１７    上内周部材
１８    断熱材
１９    袖壁
２９    一方の竪内周部材
３３    断熱材
３９    他方の竪内周部材
４３、４４    断熱材
【図１】
2005083045.tif 000003
【図２】
2005083045.tif 000004
【図３】
2005083045.tif 000005
【図４】
2005083045.tif 000006
【図５】
2005083045.tif 000007